(57)【要約】    【課題】実質的な収納容積を大きく箱自体は嵩低く形成し、外観が美麗な蓋付き箱を提供すること。【解決手段】  多層構造の紙において、蓋付き箱を構成する方形の各板材の連設部に、縦方向のＶ溝８ａと横方向のＶ溝８ｂを表紙層を残して切入し、後側板９にＶ溝８ａを介し連設する底板１０と、底板１０にＶ溝８ｂを介し連設する両側板１１と、両側板１１と段差を付し後側板９より高さが低い前側板１２をＶ溝８ａを介し底板１０に連設すると共に前側板１２の端面を平坦面１２ａに形成した身部Ａを構成し、Ｖ溝８ａを介し断面Ｌ字形に屈曲して天板１３と屈曲板１４を一体に連設すると共に屈曲板１４の端面を平坦面１４ａに形成した蓋部Ｂを、身部Ａの後側板９の上端縁から起倒自在に連設し、連設する境界以外の端部は平坦面１２ａと平坦面１４ａを除き何れも斜面１６に形成した。    【選択図】図２
0003133802.tif 000002
【実用新案登録請求の範囲】
【請求項１】
多層構造の紙において、蓋付き箱を構成する方形の各板材の連設部に、縦方向のＶ溝８ａと横方向のＶ溝８ｂを表紙層を残して切入し、後側板９にＶ溝８ａを介し連設する底板１０と、底板１０にＶ溝８ｂを介し連設する両側板１１と、両側板１１と段差を付し後側板９より高さが低い前側板１２をＶ溝８ａを介し底板１０に連設すると共に前側板１２の端面を平坦面１２ａに形成した身部Ａを構成し、
Ｖ溝８ａを介し断面Ｌ字形に屈曲して天板１３と屈曲板１４を一体に連設すると共に屈曲板１４の端面を平坦面１４ａに形成した蓋部Ｂを、身部Ａの後側板９の上端縁から起倒自在に連設し、連設する境界以外の端部は平坦面１２ａと平坦面１４ａを除き何れも斜面１６に形成し、蓋部Ｂを身部Ａに被せたとき、前側板１２の平坦面１２ａと屈曲板１４の平坦面１４ａが当接し、その当接線１５が蓋付き箱の前面にのみ直線として現れることを特徴とする蓋付き箱。
【請求項２】
多層構造の紙において、蓋付き箱を構成する方形の各板材の連設部に縦方向のＶ溝２１ａと、横方向のＶ溝２１ｂを表紙層を残して切入し、連設部以外の周辺部を斜面２２に形成し、Ｖ溝２１ａ、２１ｂ同士と斜面２２同士を接着することにより長矩形の底板２３と、底板２３と隣り合い且つ同形の長矩形の側板２４を立ち上げると共に、底板２３と横のＶ溝２１ｂを境目として略正方形の側板２５を連設し、更に側板２５と横のＶ溝２１ｂを境目として側板２５の略２倍の面積を有する短い矩形の天板２６を側板２５に連設して身部Ｃを構成すると共に、他方の側板２５と横のＶ溝２１ｂを境目とて長い矩形板からなる蓋部Ｄを側板２５の上端面に開閉自在に連設し、蓋部Ｄの端部と天板２６の端面をそれぞれ平坦面２７に形成してなる蓋付き箱。
【考案の詳細な説明】
【技術分野】
【０００１】
本考案は蓋付き箱に関し、多層構造の紙において蓋付き箱を構成する方形の各板材の連設部に縦横のＶ溝を表紙層を残し切入すると共に連設部以外の周辺部を斜面に形成し、箱の身部と、箱の身部と一体に連設した開閉自在な蓋部の当接面を平坦面に形成したものである。
【背景技術】
【０００２】
1.  図５に示すように、蓋付き箱の一種である宝石箱として蓋部１と身部２の連接面のみにＶ溝３を切入し、蓋部１と連接する身部２の内壁面２ａに凹溝４を設けると共に内壁面２ａに対向する他の内壁面２ｂと身部の底壁２ｃにも凹溝５を設け、一対の身部の側板６を凹溝４と凹溝５間にわたつて建て込み、鈎型の蓋部１の内壁面１ａに側板６の上端部に嵌合する凹溝７を設け、身部２の内壁面２ａと内壁面２ｂ、底壁２ｃ及び側板６で囲まれる空間を実質的な容積とする宝石箱がある。
【０００３】
２.  箱本体の側板の一面下部にジョイント部材を取り付け、塵取り形状の蓋体をジョイント部材を介して側板に起倒自在に取り付け、蓋体を箱本体に被せる蓋付き箱がある、例えば特許文献１。
【０００４】
３.  ベース板の周辺にスペースを残して立設した下箱本体の上部に中底を取り付け、ベース板内に設けた上箱本体に嵌合される蓋体を、上箱本体に蝶番機構で起倒自在に取り付けた宝石用の組立式箱がある、例えば特許文献２。
【０００５】
４.  天面開放の箱体を構成する側壁に係止凹部を設け、係止凹部に没入させて係止する係止舌片を設けた蓋板とからなる差込式の蓋付き箱がある、例えば特許文献３。
【特許文献１】特開平8−１１９２６３号公報
【特許文献２】特開２００２−２１１５５２号公報
【特許文献３】特開平１０−２１８１７２号公報
【考案の開示】
【考案が解決しようとする課題】
【０００６】
1.   図９に示す宝石箱は、蓋部１と連接する身部２の内壁面２ａと、内壁面２ａに対向する他の内壁面２ｂに凹溝４と凹溝５を設けて側板６を建て込むため、身部２の内壁面２ａと内壁面２ｂ、底壁２ｃ及び側板６で囲まれる空間が宝石の実質的な収納部となるため、箱自体が嵩高く又、凹溝４と凹溝５を設けることを要すると共に、別製の側板６を凹溝４と凹溝５に建て込む手間を要する。
【０００７】
２. 特開平8−１１９２６３号公報に係る発明は、塵取り形状の蓋体を別製し且つ箱本体の側板の一面下部に取り付けたジョイント部材に蓋体を連接する手間を要する。
【０００８】
３.   特開２００２−２１１５５２号号公報に係る発明は、前記1.に記載した宝石の収納箱と同様に実質的な収納部の容積が小さくなると共に、下箱本体と別体の上箱本体を形成することを要する。
【０００９】
４.   特開平１０−２１８１７２号公報に係る発明は、箱体の１側壁を２重構造とし、蓋板に設けた係止舌片の幅に相当する間隔の縦方向の２条の切目線に挟まれる部分に係止舌片を没入させる係止凹部を形成した差込式の蓋付き箱であり、箱体の構造が複雑でコスト高となる。
【課題を解決するための手段】
【００１０】
上記の課題を解決するため本考案は、図１、図２及び図３に示すように、多層構造の紙において、蓋付き箱を構成する方形の各板材の連設部に縦のＶ溝8ａと、横のＶ溝8ｂを表紙層を残して切入し、連設部以外の周辺部を斜面１６に形成し、該Ｖ溝8ａ、8ｂ同士と斜面１６同士を接着することにより、底板１０の縦方向へ隣り合う両側板１１と横方向へ隣り合う前側板１２を連設し、前側板１２を両側板１１と段差を付して高さを低く且つ、その上端面を平坦面１２ａに形成した箱の身部Ａを構成し、Ｖ溝8ａを境目とし断面Ｌ字形に屈曲して天板１３と屈曲板１４を一体に連設すると共に屈曲部１４の端面を平坦面１４ａに形成した蓋部Ｂを、前側板１２に対向する後側板９の上端縁から開閉自在に連設すると共に、蓋部Ｂを身部Ａに被せたとき前側板１２の平坦面１２ａと蓋部Ｂの平坦面１４ａが当接して蓋付き箱が密閉され、図４に示すように、その当接線１５が直線となつて外部に現れ、箱の身部Ａの実質的な収納容積が大きく、箱自体が嵩低く、然も外観が美麗な商品価値の高い請求項１記載の蓋付き箱に係る考案であり、
請求項２に記載の蓋付き箱に係る考案は、
図５及び図６に示すように、多層構造の紙において、蓋付き箱を構成する方形の各板材の連設部に縦のＶ溝２１ａと、横のＶ溝２１ｂを表紙層を残して切入し、連設部以外の周辺部を斜面２２に形成し、Ｖ溝２１ａ、２１ｂ同士と斜面２２同士を接着することにより長矩形の底板２３と、底板２３と隣り合い且つ同形の長矩形の側板２４を立ち上げると共に、底板２３と横のＶ溝２１ｂを境目として略正方形の側板２５を連設し、更に側板２５と横のＶ溝２１ｂを境目として側板２５の略２倍の面積を有する短い矩形の天板２６を側板２５に連設して身部Ｃを構成すると共に、他方の側板２５と横のＶ溝２１ｂを境目とて長い矩形の蓋部Ｄを側板２５の上端面に一体に開閉自在に連設する。蓋部Ｄの端部と天板２６の当接面をそれぞれ平坦面２７に形成する。従って身部Ｃに蓋部Ｄを被せると、それぞれの平坦面２７が当接し、その当接線２７ａが直線となつて外部に現れる。図６に示すように、蓋部Ｄを身部Ｃの長手延長方向へ起立させて開放できるため例えば収納した細長い線香等を折損せずに容易に取り出すことができる。
図７に示すように、多層構造の紙において、箱体を構成する方形の各板材の連設部に縦のＶ溝２８ａと、横のＶ溝２８ｂを表紙層を残して切入し、連設部以外の周辺部を斜面２９に形成し、長矩形の底板３０と、底板３０の両側へ縦のＶ溝２８ａを境目として長い矩形の側板３１を連設すると共に、一方の側板３１に横のＶ溝２８ｂを境目として短い矩形の側板３２を連設し、Ｖ溝２８ａ、２８ｂ同士と斜面２９同士を接着することにより箱の身部Ｅを構成し、身部Ｅにおける側板３１と側板３２の上部開放端面を平坦面３３に形成すると共に、身部Ｅと同じ構成でサイズが一回り大きい箱の蓋部Ｆを構成し、図８に示すように、例えば身部Ｅに、細長い線香を収納した前記身部Ｃを横２列に収納し、蓋部Ｆを被せて包装する外装用の箱を構成する。
【００１１】
このように構成して箱の身部の実質的な収納容積を大きく然も箱自体を嵩低く形成すると共に生産コストを低減し、外観が美麗な商品価値の高い蓋付き箱を提供し、併せて収納した物品の出し入れが容易な蓋付き箱を提供することを目的とする
【考案の効果】
【００１２】
箱の身部の実質的な収納容積を大きく然も箱自体を嵩低く形成でき、生産コストを低減し、外観が美麗な商品価値の高い蓋付き箱である。又、線香等の細長く且つ折れやすい物品の出し入れが容易であると共に妄りに物品を折損させない。
【考案を実施するための最良の形態】
【００１３】
請求項１に係る考案。
【００１４】
図１は同考案を示す斜視図、図２は、その展開図、図３は他の実施例を示す斜視図、図４は蓋体Ｂを身部Ａに被せた状態を示す斜視図である。
【００１５】
多層構造の紙において、その裏面に、縦方向のＶ溝８ａと横方向のＶ溝８ｂを表紙層を残して切入し、後側板９にＶ溝８ａを介し連続する底板１０と、底板１０にＶ溝８ｂを介し連続する両側板１１と、両側板１１と段差を付し後側板９より高さが低い前側板１２をＶ溝８ａを介し連設すると共に前側板１２の端面を平坦面１２ａに形成した身部Ａを構成する。
Ｖ溝８ａを介し断面Ｌ字形に屈曲して天板１３と屈曲板１４を一体に連設すると共に屈曲板１４の端面を平坦面１４ａに形成した蓋部Ｂを、身部Ａの後側板９の上端縁から起倒自在に連設し、蓋部Ｂを身部Ａに被せたとき身部Ａを構成する前側板１２の平坦面１２ａと、蓋部Ｂの平坦面１４ａが当接し、その当接線１５が蓋付き箱の前面にのみ直線として現れることを特徴としている。尚、Ｖ溝８ａと８ｂは各板材が連接する境界に設けられ、連接する境界以外の端部は平坦面１２ａと平坦面１４ａを除き何れも斜面１６に形成されている。
図３と図４に示す他の実施例は、横幅と奥行きが略等しい蓋付き箱であり、その構成自体は前記と同様である。
【００１６】
請求項２に係る考案。
【００１７】
図５の展開図及び図６の斜視図に示すように、多層構造の紙において、蓋付き箱を構成する方形の各板材の連設部に縦のＶ溝２１ａと、横のＶ溝２１ｂを表紙層を残して切入し、連設部以外の周辺部を斜面２２に形成し、Ｖ溝２１ａ、２１ｂ同士と斜面２２同士を接着することにより長矩形の底板２３と、底板２３と隣り合い且つ同形の長矩形の側板２４を立ち上げると共に、底板２３と横のＶ溝２１ｂを境目として略正方形の側板２５を連設し、更に側板２５と横のＶ溝２１ｂを境目として側板２５の略２倍の面積を有する短い矩形の天板２６を側板２５に連設して身部Ｃを構成すると共に、他方の側板２５と横のＶ溝２１ｂを境目とて長い矩形の蓋部Ｄを側板２５の上端面に一体に開閉自在に連設する。蓋部Ｄの端部と天板２６の当接面をそれぞれ平坦面２７に形成する。従って身部Ｃに蓋部Ｄを被せると、それぞれの平坦面２７が当接し、その当接線２７ａが直線となつて外部に現れる。又、図６に示すように、蓋部Ｄを身部Ｃの長手延長方向へ起立させて開放できる
図７に示すように、多層構造の紙において、箱体を構成する方形の各板材の連設部に縦のＶ溝２８ａと、横のＶ溝２８ｂを表紙層を残して切入し、連設部以外の周辺部を斜面２９に形成し、長矩形の底板３０と、底板３０の両側へ縦のＶ溝２８ａを境目として長い矩形の側板３１を連設すると共に、一方の側板３１に横のＶ溝２８ｂを境目として短い矩形の側板３２を連設し、Ｖ溝２８ａ、２８ｂ同士と斜面２９同士を接着することにより箱の身部Ｅを構成し、身部Ｅにおける側板３１と側板３２の上部開放端面のみを平坦面３３に形成すると共に、身部Ｅと同じ構成でサイズが一回り大きい箱の蓋部Ｆを構成し、図８に示すように、例えば身部Ｅに、細長い線香を収納した前記身部Ｃを横２列に収納し、蓋部Ｆを被せて包装する外装用の箱を構成する。
【図面の簡単な説明】
【００１８】
【図１】請求項１に係る考案を示す斜視図。
【図２】同、展開図。
【図３】他の実施例を示す斜視図。
【図４】同、蓋部を身部に被せた状態を示す斜視図。
【図５】請求項２に係る考案を示す展開図。
【図６】同、斜視図。
【図７】請求項２に係る考案を収納する外装箱を示す展開図。
【図８】同、外装箱に請求項２に係る考案を収納した状態を示す斜視図。
【図９】従来の蓋付き箱を示す斜視図。
【符号の説明】
【００１９】
８ａ  ８ｂ  ２１ａ  ２１ｂ  Ｖ溝    ９  後側板    １０  ２３  底板
１１    両側板   ２４  ２５  側板  １２  前側板    １３  ２６  天板  
１４  屈曲板    １６  ２２  斜面    
１２ａ  １４ａ  ２７  平坦面  
Ａ  Ｃ  身部        Ｂ  Ｄ  蓋部
【図１】
0003133802.tif 000003
【図２】
0003133802.tif 000004
【図３】
0003133802.tif 000005
【図４】
0003133802.tif 000006
【図５】
0003133802.tif 000007
【図６】
0003133802.tif 000008
【図７】
0003133802.tif 000009
【図８】
0003133802.tif 000010
【図９】
0003133802.tif 000011
【手続補正書】
【提出日】平成19年5月30日(2007.5.30)
【手続補正１】
【補正対象書類名】実用新案登録請求の範囲
【補正対象項目名】全文
【補正方法】変更
【補正の内容】
【実用新案登録請求の範囲】
【請求項１】
多層構造の紙において、蓋付き箱を構成する方形の各板材の連設部に、縦方向のＶ溝８ａと横方向のＶ溝８ｂを表紙層を残して切入し、後側板９にＶ溝８ａを介し連設する底板１０と、底板１０にＶ溝８ｂを介し連設する両側板１１と、両側板１１と段差を付し後側板９より高さが低い前側板１２をＶ溝８ａを介し底板１０に連設すると共に前側板１２の端面を平坦面１２ａに形成した身部Ａを構成し、
Ｖ溝８ａを介し断面Ｌ字形に屈曲して天板１３と屈曲板１４を一体に連設すると共に屈曲板１４の端面を平坦面１４ａに形成した蓋部Ｂを、身部Ａの後側板９の上端縁から起倒自在に連設し、連設する境界以外の端部は平坦面１２ａと平坦面１４ａを除き何れも斜面１６に形成し、蓋部Ｂを身部Ａに被せたとき、前側板１２の平坦面１２ａと屈曲板１４の平坦面１４ａが当接し、その当接線１５が蓋付き箱の前面にのみ直線として現れることを特徴とする蓋付き箱。
【請求項２】
多層構造の紙において、蓋付き箱を構成する方形の各板材の連設部に縦方向のＶ溝２１ａと、横方向のＶ溝２１ｂを表紙層を残して切入し、連設部以外の周辺部を斜面２２に形成し、Ｖ溝２１ａ、２１ｂ同士と斜面２２同士を接着することにより長矩形の底板２３と、底板２３と隣り合い且つ同形の長矩形の側板２４を立ち上げると共に、底板２３と横のＶ溝２１ｂを境目として略正方形の側板２５を連設し、更に側板２５と横のＶ溝２１ｂを境目として側板２５の略２倍の面積を有する短い矩形の天板２６を側板２５に連設して身部Ｃを構成すると共に、他方の側板２５と横のＶ溝２１ｂを境目として長い矩形板からなる蓋部Ｄを側板２５の上端面に開閉自在に連設し、蓋部Ｄの端部と天板２６の端面をそれぞれ平坦面２７に形成して蓋部Ｄを身部Ｃに被せたとき、それぞれの平坦面２７が当接し、その当接線２７aが蓋付き箱の上面にのみ直線として現れることを特徴とする請求項１記載の蓋付き箱。